(57)【要約】      （修正有）【課題】キャリーバッグは専用の収納容器が付属していて任意のバッグを使用できないことに加え、置く場所の占有面積が広い。専用の収納容器が付属していない運搬具は、垂直にした時には安定性を欠く。また、傘を携行する際には、キャリーバッグや運搬具とは別に所持しなければならない。【解決手段】任意のバッグＹを利用できるように吊り下げ式とし、運搬時に回転するキャスターＤを支柱Ｂを垂直に立てた時にはロックさせる脚部Ａを設け、その際にキャスターＤと脚部Ａが三脚となり安定する構造を有する。かつ傘Ｚの石突き受けＦを設ける。【選択図】図１
2014180425.tif 000002
【特許請求の範囲】
【請求項１】
ハンドルと支柱と脚部とキャスターとで構成されることを特徴とするステッキ型運搬具。
【請求項２】
支柱上部がハンドルとなり、支柱下部に脚部とキャスターが接続することを特徴とするステッキ型運搬具。
【請求項３】
前記ハンドルと支柱は上部アタッチメントで結合し、支柱とキャスターは下部アタッチメントで結合し、脚部が支柱に接続することを特徴とする請求項１に記載のステッキ型運搬具。
【請求項４】
前記ハンドルと支柱は上部アタッチメントで結合し、支柱とキャスターは下部アタッチメントで結合し、脚部が下部アタッチメントに接続することを特徴とする請求項１に記載のステッキ型運搬具。
【請求項５】
前記支柱にはフックが付随し、荷物を吊り下げることができることを特徴とする請求項２〜４のいずれかに記載のステッキ型運搬具。
【請求項６】
前記上部アタッチメントにはフックが付随し、荷物を吊り下げることができることを特徴とする請求項３または４に記載のステッキ型運搬具。
【請求項７】
キャスター用ストッパーと連動する脚を伴った脚部が有り、支柱を斜めにして用いる時はバネまたはバネによりストッパーがキャスターから離れてキャスターが自由に回転し、支柱を垂直に立てて用いる場合はキャスターが回転しなくなるとともに、脚部とキャスターで三脚又は四脚以上となる構造を有することを特徴とする請求項１〜６のいずれかに記載のステッキ型運搬具。
【請求項８】
前記脚に接地面保持手段が設けられていることを特徴とする請求項７に記載のステッキ型運搬具。
【請求項９】
前記脚のストッパーが複数設けられていることを特徴とする請求項７又は８に記載のステッキ型運搬具。
【請求項１０】
傘の石突受けが支柱または下部アタッチメントに接続し、傘ホルダーと共に傘を支柱に固定する構造を有することを特徴とする請求項１〜９のいずれかに記載のステッキ型運搬具。
【請求項１１】
前記フックが複数であることを特徴とする請求項５または６に記載のステッキ型運搬具。
【請求項１２】
前記フックが回転可能なフックであることを特徴とする請求項５または６に記載のステッキ型運搬具。
【発明の詳細な説明】
【技術分野】
【０００１】
本発明は、ステッキ型運搬具に関するものである。      
【背景技術】
【０００２】
手荷物の運搬に供するため、収納容器に車輪（キャスター）を２乃至４個取り付けたキャリーバッグが実用化している（例えば、特許文献１参照。）
【０００３】
また、買物等の際に手提げ袋の運搬を容易にするものとして、収納容器を備えず、ハンドルと二つの車輪及びフックを備えた運搬具が考案されている（例えば、特許文献２参照）。
【先行技術文献】
【特許文献】
【０００４】
【特許文献１】実用新案登録第３１６７６４７号公報
【０００５】
【特許文献２】特開２００４−３２２９８９号公報
【発明の概要】
【発明が解決しようとする課題】
【０００６】
キャリーバッグは専用の収納容器が付属していて任意のバッグを使用できない。
【０００７】
車輪の取り付け位置の間隔を広くした２輪乃至４輪の車輪（キャスター）を備えた運搬具は、置く場所の占有面積が広い。
【０００８】
専用の収納容器が付属していない運搬具（例えば、特許文献２参照）は、着席時や屹立時には安定性を欠く。
【０００９】
さらに、雨傘や日傘を携行する際には、キャリーバッグや運搬具とは別に所持しなければならない。
【課題を解決するための手段】
【００１０】
本発明は、上記課題を解決する為、ハンドルと支柱とキャスターで構成され、キャスターの回転をコントロールする脚部を備えたことを特徴とするステッキ形運搬具である。
【００１１】
ハンドルと支柱は上部アタッチメントで結合し、支柱とキャスターは下部アタッチメントで結合するステッキ形運搬具である。但し、支柱上部をハンドルとし、支柱下部に直接キャスターを取り付けることも可能なステッキ形運搬具である。
【００１２】
上部アタッチメントには吊り下げた物が下方に移動するのを防止するフックが取り付けられているステッキ形運搬具である。但し、フックは支柱に直接取り付けることもできるステッキ形運搬具である。
【００１３】
下部アタッチメントにはキャスター用ストッパーが設けられた脚と泥除けを伴った脚で構成される脚部が接続し、支柱を斜めにして用いる時はキャスターが自由に回転し、支柱を垂直に立てて用いる場合はキャスターが回転しなくなり、脚部とキャスターが三脚となる構造を有するステッキ形運搬具である。但し、脚部は支柱に取り付けることも可能なステッキ形運搬具である。
【００１４】
下部アタッチメントまたは支柱には、傘の石突受けが接続し、傘ホルダーと共に傘を支柱に固定する構造を有するステッキ形運搬具である。
【００１５】
傘の石突受けの下部は、支柱を垂直に立てた時には脚部と接して支柱を安定させるステッキ形運搬具である。
【発明の効果】
【００１６】
一定の容積のある収納容器は固定されず、任意のバッグや手提げ袋を吊り下げて用いることが可能になる。
【００１７】
脚部をコンパクトにできるので占有面積を狭くすることが可能となる。
【００１８】
支柱を垂直に立てると、脚部と傘の石突受けの下部が接して安定するとともに、キャスターが回転できなくなり、脚部とキャスターが三脚となるので、支柱を安定させることができる。
【００１９】
傘の石突受けと傘ホルダーにより、傘が支柱に固定されるため、傘を独立して保持する必要がなくなる。
【図面の簡単な説明】
【００２０】
【図１】図１はステッキ方運搬具の実施方法を示した説明図である。（実施例１）
【図２】図２はステッキ方運搬具の実施方法を示した説明図である。（実施例２）
【図３】図３は、脚部の説明図である。
【発明を実施するための形態】
【００２１】
本願発明の実施の形態について、実施例を示す図１により説明する。
ハンドルＣが上部アタッチメントＧにより支柱Ｂの上端に接続し、キャスターＤが下部アタッチメントＥにより支柱Ｂの下端に接続している。上部アタッチメントＧにはフックＨが付いている。下部アタッチメントには、傘の石突受けＦが固定され、また脚部ＡがピンＩにより接続している。
【００２２】
この脚部Ａは、右脚Ａ１、左脚Ａ２、ストッパーＡ３、支柱安定用突起Ａ４、泥除けＡ５で構成され、ピンＩを中心に回転する。
【００２３】
この脚部Ａは、支柱Ｂが垂直でない場合にはバネＫによりピンＩを中心に回転し、傘の石突受けＦから離れる構造である。ピンＩを中心に回転する結果、ストッパーＡ３はキャスターＤから離れ、キャスターＤが自由に回転する。
【００２４】
バッグＹはハンドルＣの上端からバッグの取っ手Ｙ１を挿入し上部アタッチメントＧの位置で吊り下げられる。上部アタッチメントＧから外れても、フックＨで留まり下方に移動しない。
【００２５】
傘Ｚは石突の先端を傘の石突受けＦに挿入するとともに、傘ホルダーＪにより支柱Ｂに固定する。
【００２６】
本願発明の実施の形態について、実施例を示す図２により説明する。
支柱Ｂを垂直にすると、脚部Ａの、右脚Ａ１と左脚Ａ２の夫々の先端が地面に接地し、脚部ＡがピンＩを中心に回転する結果ストッパーＡ３がキャスターＤに接触し、キャスターＤの自由な回転を制限する。
【００２７】
また、脚部ＡがピンＩを中心に回転すると、脚部Ａの上面が傘の石突受けＦの底部に接触し、支柱安定用突起Ａ４と噛合って支柱を垂直方向に安定させる。
【００２８】
そして、右脚Ａ１と左脚Ａ２及び回転を制限されたキャスターＤの３点が三脚となり支柱を垂直に自立させる。
【００２９】
図３により、脚部Ａを説明する。
脚部Ａは、右脚Ａ１と、左脚Ａ２と、ストッパーＡ３で構成され、支柱安定用突起Ａ４と泥除けＡ５が付いている。そして、バネ受けＭ１と、バネ受けＭ２の切り込みがある。但し、支柱安定用突起Ａ４と、泥除けＡ５と、バネ受けＭ１と、バネ受けＭ２の切り込みは、いずれも設けなくとも本発明の機能は実現できる。
【００３０】
上記脚部Ａは、ピン穴ＬにピンＩを通して、支柱Ｂ又は下部アタッチメントＥに接続する。ピン留めＮ１をピン留め穴Ｎ２に通してピンＩが抜けないように固定する。尚、ピンＩはボルトでも代用できる。
【００３１】
上記脚部Ａを接続する際、バネＫのピン受け穴Ｋ１とピン受け穴Ｋ２にピンＩを通し、バネ先端Ｋ３とバネ先端Ｋ４を夫々バネ受けＭ１とバネ受けＭ２に嵌めこむ。
【００３２】
上記脚部Ａの右脚Ａ１と左脚Ａ２の地面に接する先端は、地面に突き刺さる用に鋭利にすることができる。これを接地面保持手段とする。
【００３３】
上記脚部Ａの右脚Ａ１と左脚Ａ２の地面に接する先端は、地面とのグリップを向上させるために、多数の突起を設けることができる。これを接地面保持手段とする。
【００３４】
キャスターＤを複数用いる場合には、脚部ＡのストッパーＡ３を複数設定するか、あるいはストッパーＡ３の幅を広くして、複数のキャスターＤに対応させることができる。
この場合、右脚Ａ１と左脚Ａ２は統合して１つの脚とし、複数のキャスターＤとともに三脚の機能を持たせることができる。
【産業上の利用可能性】
【００３５】
支柱をカメラ用の三脚あるいは一脚を流用することにより、カメラ用の三脚あるいは一脚として用いることが可能である。また、台車と連結し、台車の牽引具として利用することが可能である。
【符号の説明】
【００３６】
Ａ     脚部
Ａ１   右脚
Ａ２   左脚
Ａ３   ストッパー
Ａ４   支柱安定用突起
Ａ５   泥除け
Ｂ     支柱
Ｂ１   伸縮継ぎ手
Ｃ     ハンドル
Ｄ     キャスター
Ｅ     下部アタッチメント
Ｆ     傘の石突受け
Ｇ     上部アタッチメント
Ｈ     フック
Ｉ     ピン
Ｊ     傘ホルダー
Ｋ     バネ
Ｋ１   ピン受け穴
Ｋ２   ピン受け穴
Ｋ３   バネ先端
Ｋ４   バネ先端
Ｌ     ピン穴
Ｍ１   バネ受け
Ｍ２   バネ受け
Ｎ１   ピン留め
Ｎ２   ピン留め穴
Ｙ     バッグ
Ｙ１   バッグの取っ手
Ｚ     傘
【図１】
2014180425.tif 000003
【図２】
2014180425.tif 000004
【図３】
2014180425.tif 000005